(57)【要約】【課題】簡単な構成で水位を検出可能な給水装置を提供すること。【解決手段】給水装置１は、吸込口が受水槽４０に接続されモータによって駆動されるポンプを備えたポンプ装置７３と、受水槽４０に接続され、受水槽４０の静水圧を検出する第１圧力センサ４３と、前記ポンプの吐出口８６に連結された連結管と、前記連結管に設けられ、前記ポンプの二次側の圧力を検出する第２圧力センサ８７ｂと、前記ポンプの一次側又は二次側に設けられた流量センサ８７ａと、第１圧力センサ４３の取付位置から受水槽４０の底面までの高さ方向の測点公差を予め記憶する記憶部７７ａと、第２圧力センサ８７ｂで検出される圧力が目標圧力となるようにモータ８５を制御するとともに、第１圧力センサ４３及び前記測点公差から、受水槽４０内の水位を検出する制御部７７ｅと、を備える。【選択図】      図１
2019127886.tif 000002
【特許請求の範囲】
【請求項１】
吸込口が受水槽に接続されモータによって駆動されるポンプを備えたポンプ装置と、
前記受水槽に接続され、前記受水槽の静水圧を検出する第１圧力センサと、
前記ポンプの吐出口に連結された連結管と、
前記連結管に設けられ、前記ポンプの二次側の圧力を検出する第２圧力センサと、
前記ポンプの一次側又は二次側に設けられた流量センサと、
前記第１圧力センサの取付位置から前記受水槽の底面までの高さ方向の測点公差を予め記憶する記憶部と、
前記第２圧力センサで検出される圧力が目標圧力となるように前記モータを制御するとともに、前記第１圧力センサ及び前記測点公差から、前記受水槽内の水位を検出する制御部と、
を備える給水装置。
【請求項２】
情報を外部に報知する報知装置を備え、
前記記憶部は、前記測点公差及び前記受水槽の満水水位から求められた第１設定圧力を予め記憶し、
前記制御部は、一定時間、前記第１圧力センサで検出した圧力が前記第１設定圧力以上である場合に、前記受水槽が満水水位であることを判断し、前記報知装置により前記満水水位を外部に報知する、請求項１に記載の給水装置。
【請求項３】
前記記憶部は、前記測点公差及び前記受水槽の前記満水水位よりも低い水位から求められた第２設定圧力、並びに、前記測点公差及び前記第２設定圧力となる水位よりも低い水位の前記受水槽の渇水水位から求められた第３設定圧力を予め記憶し、
前記制御部は、前記第１圧力センサで検出した圧力が前記第２設定圧力となった場合に、前記モータを駆動可能とし、そして、一定時間前記第１圧力センサで検出した圧力が前記第３設定圧力以下である場合に、前記受水槽が渇水水位であることを判断し、前記モータの駆動を停止する、請求項２に記載の給水装置。
【請求項４】
前記記憶部は、前記測点公差、及び、前記第２設定圧力よりも低い水位であって、且つ、前記第３設定圧力よりも高い水位の前記受水槽の減水水位から求められた第４設定圧力を予め記憶し、
前記制御部は、一定時間、前記第１圧力センサで検出した圧力が前記第４設定圧力以下である場合に、前記受水槽が減水水位であることを判断し、前記報知装置により前記減水水位を外部に報知するとともに、一定時間、前記第１圧力センサで検出した圧力が前記第３設定圧力以下である場合に、前記報知装置により前記渇水水位を外部に報知する、請求項３に記載の給水装置。
【請求項５】
前記受水槽に接続された、前記受水槽に水を供給する流入管に設けられ、前記流入管を開閉する流入弁を備え、
前記記憶部は、前記測点公差及び前記満水水位よりも低く、且つ、前記第２設定圧力となる水位よりも高い水位から求められた第５設定圧力を予め記憶し、
前記制御部は、前記第１圧力センサで検出した圧力が前記第２設定圧力以下に低下した場合に、前記流入弁を開き、前記第２圧力センサで検出した圧力が前記第５設定圧力よりも高い場合に前記流入弁を閉じる、請求項３又は請求項４に記載の給水装置。
【請求項６】
前記受水槽と、
前記受水槽及び前記第１圧力センサを接続する配管と、をさらに備える請求項１乃至請求項５のいずれか一項に記載の給水装置。
【請求項７】
前記受水槽は、２槽設けられ、
前記２槽の受水槽及び前記配管を接続する三方弁をさらに備える、請求項６に記載の給水装置。
【発明の詳細な説明】
【技術分野】
【０００１】
本発明は、受水槽に貯水された水を送水する給水装置に関する。
【背景技術】
【０００２】
受水槽に水道水を貯水し、その後、ポンプ装置を駆動して貯水された水道水を用いて二次側に供給する技術が知られている。このような給水装置は、受水槽に水位を検出する複数の電極棒が設けられる。例えば、複数の電極棒は、渇水と判断してポンプ装置を停止する渇水水位を検出する電極、ポンプ装置を駆動可能な水位と判断する駆動許可水位を検出する電極、受水槽が満水であることを判断する満水水位を検出する電極、受水槽が減水していると判断する減水水位を検出する電極、流入弁を開閉するための２本の電極、そしてコモン電極の７本が用いられる。このため、受水槽を２槽設ける場合、電極の数が１４本となり、電極棒の長さの調整や、制御盤と受水槽の各電極との結線を要する等、設置作業が繁雑となる。そこで、電極棒の代わりに、ポンプの吸込側に設けた高感度の圧力センサによって受水槽の水位を検出し、水位制御を行う技術が知られている（例えば、特許文献１参照）。
【先行技術文献】
【特許文献】
【０００３】
【特許文献１】特許第５５０６３４７号公報
【発明の概要】
【発明が解決しようとする課題】
【０００４】
しかしながら、圧力センサにより受水槽の水位を検出する構成においては、給水量が増加すると、吸込圧力が低下し、受水槽の水位を精度よく検出することが難しい、という問題がある。
【０００５】
そこで本発明は、簡単な構成で水位を検出可能な給水装置を提供することを目的とする。
【課題を解決するための手段】
【０００６】
前記課題を解決し目的を達成するために、本発明の給水装置は次のように構成されている。
【０００７】
本発明の一態様として、給水装置は、吸込口が受水槽に接続され、モータによって駆動されるポンプを備えたポンプ装置と、前記受水槽に接続され、前記受水槽の静水圧を検出する第１圧力センサと、前記ポンプの吐出口に連結された連結管と、前記連結管に設けられ、前記ポンプの二次側の圧力を検出する第２圧力センサと、前記ポンプの一次側又は二次側に設けられた流量センサと、前記第１圧力センサの取付位置から前記受水槽の底面までの高さ方向の測点公差を予め記憶する記憶部と、前記第２圧力センサで検出される圧力が目標圧力となるように前記モータを制御するとともに、前記第１圧力センサ及び前記測点公差から、前記受水槽内の水位を検出する制御部と、を備える。
【発明の効果】
【０００８】
本発明によれば、簡単な構成で水位を検出可能な給水装置を提供することが可能となる。
【図面の簡単な説明】
【０００９】
【図１】本発明の一実施形態に係る給水装置の構成を一部断面で示す側面図。
【図２】同給水装置に接続されているポンプユニットの内部構成を示す正面図。
【図３】同ポンプユニットの構成を一部断面で示す側面図。
【図４】同ポンプユニットの構成を示す平面図。
【発明を実施するための形態】
【００１０】
以下、本発明の一実施形態に係る給水装置１を、図１乃至図４を用いて説明する。  
図１は、本発明の一実施形態に係る給水装置１の構成を一部断面で示す側面図である。図２は、給水装置１に接続されているポンプユニット１０のカバーが取り外された状態を示す正面図である。図３は、ポンプユニット１０の構成を一部断面で示す側面図である。図４は、ポンプユニット１０に設けられる配管の配置を示す平面図である。
【００１１】
給水装置１は、例えば、建築物又は建築物に隣接する設置面１０１上に固定される。給水装置１は、設置面１０１に固定されるベース２０と、ベース２０の上に固定される架台３０と、架台３０の上に固定される受水槽４０と、架台３０の側部に配置されるポンプユニット１０と、受水槽４０とポンプユニット１０を連絡する第１連結管５０と、を備えている。
【００１２】
ベース２０は、矩形の枠状の形成されている。架台３０は、ベース２０上に設けられ、設置面１０１から受水槽４０の底面４０ａまでの高さを所定の高さで受水槽４０を保持する。ここで、所定の高さとは、建築基準法により定められる高さ以上の高さであり、具体的には、６０ｃｍ以上に設定される。架台３０は、ベース２０の四隅に固定される４本の脚部材３１と、脚部材３１の上端が連結される矩形の枠部材３３と、を有している。
【００１３】
受水槽４０は、内部に水を貯留可能に構成されている。本実施形態において、受水槽４０は、例えば、２つ設けられる。なお、受水槽４０は、２槽式受水槽の例を示すが、１つのみ受水槽４０を設ける構成であってもよい。
【００１４】
受水槽４０は、受水槽４０内の静水圧Ｈを検出する第１圧力センサ４３と、底面４０ａに設けられ、開閉弁４５ａを有するドレン配管４５と、水道本管に直結され、流入弁４６ａを有する流入配管４６と、オーバーフロー配管４７と、を備えている。
【００１５】
第１圧力センサ４３は、ドレン配管４５に接続され、ポンプユニット１０内へ延設された配管４３ａと、配管４３ａの中途部に設けられた三方弁４３ｂと、配管４３ａの先端に設けられ、三方弁４３ｂの第１のポートに接続されたポンプユニット１０内に配置されるセンサ部４３ｃと、を備えている。センサ部４３ｃは、受水槽４０の底面４０ａから重力方向で所定の距離、具体例としては６５ｃｍ下方に離間して配置される。
【００１６】
三方弁４３ｂは、第２のポート及び第３のポートが、２つの受水槽４０のドレン配管４５に接続された配管４３ａにそれぞれ接続される。
【００１７】
ポンプユニット１０は、設置面１０１に固定されるケース７１と、ケース７１内に収容される一対のポンプ装置７３と、アキュムレータ７５と、制御盤７７と、を備えている。また、ポンプユニット１０は、吸込管５１及び吐出管８７を有する。
【００１８】
ケース７１は、ケース本体７１ａと、ケース本体７１ａに着脱可能なカバー７１ｂとを有する。ケース７１は、屋外に設置したときに、雨水の浸入を防止できる防雨構造を有する。また、ケース７１は、設置した姿勢で、重力方向に長く、また、重力方向に直交する一方向（幅方向）に複数のポンプ装置７３を配置可能に構成される。
【００１９】
ケース本体７１ａは、架台やフレームに、前面を除いて板状の壁部を取り付けることで構成される。ケース本体７１ａは、内部に一対のポンプ装置７３、アキュムレータ７５、制御盤７７及びセンサ部４３ｃを収容可能に構成される。カバー７１ｂは、ケース本体７１ａに着脱可能に構成され、例えば、ケース本体７１ａの前面側を開放可能に構成される。
【００２０】
このようなケース７１は、図２及び図３に示すように、例えば、制御盤７７をケース７１の上方であって、且つ、幅方向で一方側に収容し、センサ部４３ｃをケース７１の上方であって、且つ、幅方向で他方側に収容する。
【００２１】
ポンプ装置７３は、多段式の縦型のポンプ装置である。ポンプ装置７３は、例えばタービンポンプである。一対のポンプ装置７３は、ケース７１の幅方向に隣接して配置される。一対のポンプ装置７３は、ケース本体７１ａに固定される。
【００２２】
ポンプ装置７３は、吸込口８１を有するポンプケーシング８２と、複数のインペラ８３と、インペラ８３が設けられた回転軸８４と、回転軸８４を回転するモータ８５と、吐出口８６と、を有している。吸込口８１は、ポンプケーシング８２の下端に設けられる。
【００２３】
吸込管５１は、分岐管であり、水平方向に延設されるとともに、各ポンプ装置７３の吸込口８１に向かって９０度屈曲し、吸込口８１に接続される。吸込管５１は、ケース本体７１ａの受水槽４０側に設けられ、第１連結管５０に接続される。吸込管５１は、他端が上方を向く姿勢でポンプ装置７３に接続されている。
【００２４】
ポンプケーシング８２は、その下端部に設けられる吸込口８１と、上端部に設けられる吐出口８６と、複数のポンプ室８２ａと、を有する。ポンプケーシング８２は、吸込口８１が吸込管５１の一端に連結され、吸込管５１に固定される。
【００２５】
吐出口８６は、ポンプケーシング８２の外周面に設けられ、ケース本体７１ａの正面側に配置される。吐出口８６は、吐出管８７に接続される。
【００２６】
吐出管８７は、９０度屈曲するベント管から形成されており、重力方向に延設される。吐出管８７は、中途部に流量センサ８７ａと、ポンプ装置７３の二次側の圧力を検出する第２圧力センサ８７ｂと、逆止弁８７ｃと、ボール弁８７ｄと、が一体に設けられる。流量センサ８７ａは、例えば、羽根車式の流量センサであり、ポンプ装置７３からの吐出流量を検出可能に構成されている。また、各ポンプ装置７３に設けられた複数の吐出管８７は、第２連結管６０により合流する。
【００２７】
モータ８５は、ポンプケーシング８２上に固定されている。モータ８５は、回転軸８４を回転する。
【００２８】
アキュムレータ７５は、一対のポンプ装置７３の二次側であって、第２連結管６０の中途に設けられる。アキュムレータ７５は、カバー７１ｂがケース本体７１ａに取り付けられた状態において、ケース本体７１ａ内に収容可能な大きさに形成されている。
【００２９】
第２連結管６０は、吐出管８７を合流させる合流管であり、水平方向に延設される。第２連結管６０は、建造物の送水先に、配管等を介して接続される。
【００３０】
制御盤７７は、記憶部７７ａと、表示部７７ｂと、報知装置７７ｃと、入力部７７ｄと、制御部７７ｅと、を備える。制御盤７７はケース本体７１ａに固定される。
【００３１】
記憶部７７ａは、各種センサから得られた情報を記憶する。また、記憶部７７ａは、予め水位検出に必要な情報を記憶する。具体的には、記憶部７７ａは、受水槽４０の底面４０ａを測定する位置である測点公差を予め記憶する。ここで、測点公差とは、第１圧力センサ４３のセンサ部４３ｃの取付位置から受水槽４０の底面４０ａまでの重力方向の高さであり、本実施形態では、６５ｃｍである。また、記憶部７７ａは、第１設定圧力、第２設定圧力、第３設定圧力、第４設定圧力、第５設定圧力を記憶する。
【００３２】
具体例として、記憶部７７ａは、第１設定圧力を満水圧力、第２設定圧力をＯＮ圧力、第３設定圧力を渇水圧力、第４設定圧力を減水圧力、第５設定圧力を流入弁閉圧力としたテーブルを記憶している。
【００３３】
第１設定圧力は、受水槽４０の水位が満水水位Ｊにあるときのセンサ部４３ｃで検出される静圧であり、測点公差及び受水槽４０の満水水位Ｊから求められる。具体例として、第１設定圧力は、満水水位Ｊを９８ｃｍとし、測定公差を６５ｃｍとした場合には、１６３ｃｍの水位で検出される圧力となる。
【００３４】
第２設定圧力は、受水槽４０の水位が満水水位Ｊよりも低い、モータ８５を駆動するＯＮ水位Ｌにあるときの圧力である。第２設定圧力は、測点公差及びＯＮ水位Ｌから求められる。具体例として、第２設定圧力は、ＯＮ水位Ｌを６８ｃｍとし、測定公差を６５ｃｍとした場合には、１３３ｃｍの水位で検出される圧力となる。
【００３５】
第３設定圧力は、受水槽４０の水位がＯＮ水位よりも低い渇水水位Ｎにあるときの圧力である。第３設定圧力は、測点公差及び渇水水位Ｎから求められる。具体例として、第３設定圧力は、渇水水位Ｎを２０ｃｍとし、測定公差を６５ｃｍとした場合には、８５ｃｍの水位で検出される圧力となる。
【００３６】
第４設定圧力は、受水槽４０の水位がＯＮ水位Ｌよりも低く、且つ、渇水水位Ｎよりも高い減水水位Ｍにあるときの圧力である。第４設定圧力は、測点公差及び受水槽４０の減水水位Ｍから求められる。具体例として、第４設定圧力は、減水水位Ｍを４０ｃｍとし、測定公差を６５ｃｍとした場合には、１０５ｃｍの水位で検出される圧力となる。
【００３７】
第５設定圧力は、受水槽４０の水位が満水水位Ｊよりも低く、且つ、ＯＮ水位Ｌよりも高い、流入弁４６ａを閉じる流入弁閉水位Ｋにあるときの圧力である。第５設定圧力は、測点公差及び流入弁閉水位Ｋから求められる。具体例として、第５設定圧力は、流入弁閉水位Ｋを８８ｃｍとし、測定公差を６５ｃｍとした場合には、１５３ｃｍの水位で検出される圧力となる。
【００３８】
即ち、受水槽４０内の水位は、例えば、図１に示すように、満水水位Ｊ、流入弁閉水位Ｋ、ＯＮ水位Ｌ、減水水位Ｍ、渇水水位Ｎに設定される。ここで、満水水位Ｊとは、受水槽４０内の水の水位が最も高い水位である。流入弁閉水位Ｋとは、満水水位Ｊより低い水位であって、制御部７７ｅが流入弁４６ａを閉じ受水槽４０内への新たな水の供給を止める水位である。ＯＮ水位Ｌは、満水水位Ｊ及び流入弁閉水位Ｋ以下であって、モータ８５の駆動を開始できる水位である。減水水位Ｍは、満水水位Ｊ、流入弁閉水位Ｋ及びＯＮ水位Ｌより低い水位であって、受水槽４０内の水位が減っている旨を外部に報知する水位である。渇水水位Ｎは、満水水位Ｊ、流入弁閉水位Ｋ、ＯＮ水位Ｌ及び減水水位Ｍより低い水位であって、受水槽４０内が渇水状態にある旨を外部に報知するとともに、モータ８５を強制的に停止する水位である。
【００３９】
表示部７７ｂは、検出した受水槽４０の水位の情報等を表示可能に構成される。報知装置７７ｃは、音や光により、警報を発することが可能な報知装置である。入力部７７ｄは、受水槽４０及びセンサ部４３ｃの設置状況から求められた測定公差を入力可能に構成される。
【００４０】
制御部７７ｅは、モータ８５、第１圧力センサ４３、第２圧力センサ８７ｂ、記憶部７７ａ、表示部７７ｂ、報知装置７７ｃ及び入力部７７ｄに信号線を介して電気的に接続される。
【００４１】
制御部７７ｅは、第２圧力センサ８７ｂで検出される圧力が目標圧力となるようにモータ８５の周波数を制御する目標圧力一定制御を行う。制御部７７ｅは、ポンプ装置７３の駆動及び流入弁４６ａの開閉、表示部７７ｂの表示、報知装置７７ｃによる警報を制御する。
【００４２】
制御部７７ｅは、第１圧力センサ４３で検出した静圧及び記憶部７７ａに記憶された測点公差から、受水槽４０内の水位を検出可能に構成される。
【００４３】
具体的には、制御部７７ｅは、一定時間、第１圧力センサ４３で検出した圧力が第１設定圧力以上である場合に、受水槽４０が満水水位Ｊであることを判断する。加えて、表示部７７ｂ、報知装置７７ｃにより受水槽４０が満水水位Ｊであることを外部に報知する。
【００４４】
また。制御部７７ｅは、第１圧力センサ４３で検出した圧力が第２設定圧力となった場合に、モータ８５を駆動可能とし、そして、一定時間第１圧力センサ４３で検出した圧力が第３設定圧力以下である場合に、受水槽４０が渇水水位Ｎであることを判断し、モータ８５の駆動を停止する。
【００４５】
また、制御部７７ｅは、一定時間、第１圧力センサ４３で検出した圧力が第４設定圧力以下である場合に、受水槽４０が減水水位Ｍであることを判断し、報知装置７７ｃにより減水水位Ｍを外部に報知するとともに、一定時間、第１圧力センサ４３で検出した圧力が第３設定圧力以下である場合に、報知装置７７ｃにより渇水水位Ｎを外部に報知する。制御部７７ｅは、第１圧力センサ４３で検出した圧力が第２設定圧力以下に低下した場合に、流入弁４６ａを開き、第１圧力センサ４３で検出した圧力が第５設定圧力よりも高い場合に流入弁４６ａを閉じる。
【００４６】
次に、給水装置１の給水制御の一例について説明する。
【００４７】
先ず、制御部７７ｅは、第１圧力センサ４３により受水槽４０の静水圧Ｈを検出し、検出された静水圧Ｈを予め記憶部７７ａに記憶されている複数の設定圧力値と比較して、受水槽４０の水位を検出する。
【００４８】
具体例として、静水圧Ｈが一定時間、第１設定圧力以上である場合には、制御部７７ｅは、受水槽４０内の水位が満水水位Ｊにあるものと判断し、受水槽４０が満水である情報を表示部７７ｂに表示するとともに、報知装置７７ｃにより警報を行う。
【００４９】
静水圧Ｈが一定時間、第２設定圧力以上である場合には、制御部７７ｅは、受水槽４０内の水位がＯＮ圧力水位Ｌにあるものと判断し、モータ８５を駆動し、第２圧力センサ８７ｂで検出される圧力に基づいて、ポンプ装置７３を目標圧力一定制御するために、モータ８５の駆動周波数を制御する。これにより、受水槽４０の水が給水先に給水される。
【００５０】
なお、静水圧Ｈが一定時間、第２設定圧力以上であって、且つ、第５設定圧力以上である場合には、制御部７７ｅは、受水槽４０の水位が流入弁閉水位Ｋにあると判断し、流入弁４６ａを閉じる。また、静水圧Ｈが一定時間、第２設定圧力以下である場合であって、且つ、流入弁４６ａが閉じている場合には、制御部７７ｅは、流入弁４６ａを開き、受水槽４０に水を給水する。
【００５１】
受水槽４０の水を給水先に給水することで、受水槽４０内の水位が低下し、静水圧Ｈが一定時間、第４設定圧力以下となった場合には、制御部７７ｅは、受水槽４０の水位が減水水位Ｍと判断し、受水槽４０が減水である情報を表示部７７ｂに表示するとともに、報知装置７７ｃにより警報を行う。
【００５２】
さらに水位が低下し、静水圧Ｈが一定時間、第３設定圧力以下となった場合には、制御部７７ｅは、受水槽４０の水位が渇水水位Ｎにあると判断し、モータ８５を停止するとともに、受水槽４０が渇水である情報を表示部７７ｂに表示し、報知装置７７ｃにより警報を行う。
【００５３】
このような構成を有する本実施形態の給水装置１は、第１圧力センサ４３で検出した静圧及び圧力センサ４３のセンサ部４３ｃから受水槽４０の底面４０ａまでの距離から求められる測定公差によって、水位を検出することが可能となる。これにより、給水装置１は、簡単な構成で水位を検出することが可能となる。
【００５４】
具体的に説明すると、本実施形態の給水装置１は、電極に替わり第１圧力センサ４３を受水槽４０に取り付け、検出される静水圧Ｈ及び記憶部７７ａに予め格納された測定公差及び各水位における設定圧力値を用いることにより、受水槽４０内の水位が満水水位Ｊ、流入弁閉水位Ｋ、ＯＮ水位Ｌ、減水水位Ｍまたは渇水水位Ｎのいずれの位置にあるのかを検出することができる。
【００５５】
また、本実施形態の給水装置１は、第１圧力センサ４３に接続された配管と２つの受水槽４０とを三方弁４３ｂにより接続している。このため、三方弁４３ｂを切替えるだけの簡単な操作で、いずれかの受水槽４０と第１圧力センサ４３を接続できるため、選択的に一方の受水槽４０の水位を検出することができる。
【００５６】
また、第１圧力センサ４３は、センサ部４３ｃをポンプユニット１０のケース７１内に配置する構成とし、受水槽４０と配管４３ａを介して接続する構成である。このため、センサ部４３ｃは、給水装置１が屋外に設置されても、ケース７１内に収容されることから、風雨にさらされることが無く、また、ケース７１内で制御盤７７とともに収容される。このため、センサ部４３ｃは、雨水と接触することがなく、内部への浸水による故障も防止できるとともに、制御盤７７との距離が長くならず、センサ電圧の低下及び外来ノイズによる誤作動を防止できる。
【００５７】
上述したように、本発明の一実施形態に係る給水装置１によれば、第１圧力センサ４３により受水槽４０内の静圧を求める簡単な構成で受水槽４０の水位を検出可能となる。
【００５８】
なお、本発明は上述の実施形態に限定されない。上述した例では、制御部７７ｅは、静水圧Ｈが減水圧力であった場合に、受水槽４０が減水である情報を表示部７７ｂに表示するとともに、報知装置７７ｃにより警報を行う構成を説明したが、例えば、表示部７７ｂにのみ表示し、警報を行わない構成であってもよく、また、他の圧力（水位）で合った場合においても、情報の表示や警報は適宜設定できる。
【００５９】
また、上述した例では、給水装置１は、２つの受水槽４０を備える構成を説明したがこれに限定されず、例えば、受水槽４０を1つのみ備える構成であってもよい。また、上述した例では、受水槽４０の水位を第１圧力センサ４３で検出した受水槽４０の静圧から求める構成を説明したが、これに限定されず、第１圧力センサ４３で受水槽４０の水位を求める構成に加えて、さらに、電極及び電極回路によっても、受水槽４０の水位を求められる構成としてもよい。
【００６０】
これらのように、本発明は前記実施形態に限定されるものではない。即ち、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００６１】
１…給水装置、１０…ポンプユニット、２０…ベース、３０…架台、３１…脚部材、３３…枠部材、４０…受水槽、４０ａ…底面、４３…第１圧力センサ、４３ａ…配管、４３ｂ…三方弁、４３ｃ…センサ部、４５…ドレン配管、４５ａ…開閉弁、４６…流入配管、４６ａ…流入弁、４７…オーバーフロー配管、５０…第１連結管、５１…吸込管、６０…第２連結管、７１…ケース、７１ａ…ケース本体、７１ｂ…カバー、７３…ポンプ装置、７５…アキュムレータ、７７…制御盤、７７ａ…記憶部、７７ｂ…表示部、７７ｃ…報知装置、７７ｄ…入力部、７７ｅ…制御部、８１…吸込口、８２…ポンプケーシング、８２ａ…ポンプ室、８３…インペラ、８４…回転軸、８５…モータ、８６…吐出口、８７…吐出管、８７ａ…流量センサ、８７ｂ…第２圧力センサ、８７ｃ…逆止弁、８７ｄ…ボール弁、１０１…設置面
【図１】
2019127886.tif 000003
【図２】
2019127886.tif 000004
【図３】
2019127886.tif 000005
【図４】
2019127886.tif 000006
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
吸込口が受水槽に接続されモータによって駆動されるポンプを備えたポンプ装置と、
前記受水槽に接続され、前記受水槽の静水圧を検出する第１圧力センサと、
前記ポンプの吐出口に連結された連結管と、
前記連結管に設けられ、前記ポンプの二次側の圧力を検出する第２圧力センサと、
前記ポンプの一次側又は二次側に設けられた流量センサと、
前記受水槽に接続された、前記受水槽に水を供給する流入管に設けられ、前記流入管を開閉する流入弁と、
前記第１圧力センサの取付位置から前記受水槽の底面までの高さ方向の測点公差を予め記憶する記憶部と、
前記第２圧力センサで検出される圧力が目標圧力となるように前記モータを制御するとともに、前記第１圧力センサ及び前記測点公差から、前記受水槽内の水位を検出する制御部と、
情報を外部に報知する報知装置と、
を備え、
前記記憶部は、前記測点公差及び前記受水槽の満水水位から求められた第１設定圧力、前記測点公差及び前記受水槽の前記満水水位よりも低い水位から求められた第２設定圧力、前記測点公差及び前記第２設定圧力となる水位よりも低い水位の前記受水槽の渇水水位から求められた第３設定圧力、並びに、前記測点公差及び前記満水水位よりも低く、且つ、前記第２設定圧力となる水位よりも高い水位から求められた第５設定圧力を予め記憶し、
前記制御部は、一定時間、前記第１圧力センサで検出した圧力が前記第１設定圧力以上である場合に、前記受水槽が満水水位であることを判断し、前記報知装置により前記満水水位を外部に報知し、前記第１圧力センサで検出した圧力が前記第２設定圧力となった場合に、前記モータを駆動可能とし、そして、一定時間前記第１圧力センサで検出した圧力が前記第３設定圧力以下である場合に、前記受水槽が渇水水位であることを判断し、前記モータの駆動を停止し、そして、前記第１圧力センサで検出した圧力が前記第２設定圧力以下に低下した場合に、前記流入弁を開き、前記第２圧力センサで検出した圧力が前記第５設定圧力よりも高い場合に前記流入弁を閉じる、給水装置。
【請求項２】
前記記憶部は、前記測点公差、及び、前記第２設定圧力よりも低い水位であって、且つ、前記第３設定圧力よりも高い水位の前記受水槽の減水水位から求められた第４設定圧力を予め記憶し、
前記制御部は、一定時間、前記第１圧力センサで検出した圧力が前記第４設定圧力以下である場合に、前記受水槽が減水水位であることを判断し、前記報知装置により前記減水水位を外部に報知するとともに、一定時間、前記第１圧力センサで検出した圧力が前記第３設定圧力以下である場合に、前記報知装置により前記渇水水位を外部に報知する、請求項１に記載の給水装置。
【請求項３】
前記受水槽と、
前記受水槽及び前記第１圧力センサを接続する配管と、をさらに備える請求項１又は請求項２に記載の給水装置。
【請求項４】
前記受水槽は、２槽設けられ、
前記２槽の受水槽及び前記配管を接続する三方弁をさらに備える、請求項３に記載の給水装置。
【手続補正２】
【補正対象書類名】明細書
【補正対象項目名】０００７
【補正方法】変更
【補正の内容】
【０００７】
本発明の一態様として、給水装置は、吸込口が受水槽に接続されモータによって駆動されるポンプを備えたポンプ装置と、前記受水槽に接続され、前記受水槽の静水圧を検出する第１圧力センサと、前記ポンプの吐出口に連結された連結管と、前記連結管に設けられ、前記ポンプの二次側の圧力を検出する第２圧力センサと、前記ポンプの一次側又は二次側に設けられた流量センサと、前記受水槽に接続された、前記受水槽に水を供給する流入管に設けられ、前記流入管を開閉する流入弁と、前記第１圧力センサの取付位置から前記受水槽の底面までの高さ方向の測点公差を予め記憶する記憶部と、前記第２圧力センサで検出される圧力が目標圧力となるように前記モータを制御するとともに、前記第１圧力センサ及び前記測点公差から、前記受水槽内の水位を検出する制御部と、情報を外部に報知する報知装置と、を備え、前記記憶部は、前記測点公差及び前記受水槽の満水水位から求められた第１設定圧力、前記測点公差及び前記受水槽の前記満水水位よりも低い水位から求められた第２設定圧力、前記測点公差及び前記第２設定圧力となる水位よりも低い水位の前記受水槽の渇水水位から求められた第３設定圧力、並びに、前記測点公差及び前記満水水位よりも低く、且つ、前記第２設定圧力となる水位よりも高い水位から求められた第５設定圧力を予め記憶し、前記制御部は、一定時間、前記第１圧力センサで検出した圧力が前記第１設定圧力以上である場合に、前記受水槽が満水水位であることを判断し、前記報知装置により前記満水水位を外部に報知し、前記第１圧力センサで検出した圧力が前記第２設定圧力となった場合に、前記モータを駆動可能とし、そして、一定時間前記第１圧力センサで検出した圧力が前記第３設定圧力以下である場合に、前記受水槽が渇水水位であることを判断し、前記モータの駆動を停止し、そして、前記第１圧力センサで検出した圧力が前記第２設定圧力以下に低下した場合に、前記流入弁を開き、前記第２圧力センサで検出した圧力が前記第５設定圧力よりも高い場合に前記流入弁を閉じる。
【手続補正３】
【補正対象書類名】明細書
【補正対象項目名】００６０
【補正方法】変更
【補正の内容】
【００６０】
これらのように、本発明は前記実施形態に限定されるものではない。即ち、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
以下に、本願出願の当初の特許請求の範囲に記載された発明と同等の記載を付記する。
［１］  吸込口が受水槽に接続されモータによって駆動されるポンプを備えたポンプ装置と、
前記受水槽に接続され、前記受水槽の静水圧を検出する第１圧力センサと、
前記ポンプの吐出口に連結された連結管と、
前記連結管に設けられ、前記ポンプの二次側の圧力を検出する第２圧力センサと、
前記ポンプの一次側又は二次側に設けられた流量センサと、
前記第１圧力センサの取付位置から前記受水槽の底面までの高さ方向の測点公差を予め記憶する記憶部と、
前記第２圧力センサで検出される圧力が目標圧力となるように前記モータを制御するとともに、前記第１圧力センサ及び前記測点公差から、前記受水槽内の水位を検出する制御部と、
を備える給水装置。
［２］  情報を外部に報知する報知装置を備え、
前記記憶部は、前記測点公差及び前記受水槽の満水水位から求められた第１設定圧力を予め記憶し、
前記制御部は、一定時間、前記第１圧力センサで検出した圧力が前記第１設定圧力以上である場合に、前記受水槽が満水水位であることを判断し、前記報知装置により前記満水水位を外部に報知する、［１］に記載の給水装置。
［３］  前記記憶部は、前記測点公差及び前記受水槽の前記満水水位よりも低い水位から求められた第２設定圧力、並びに、前記測点公差及び前記第２設定圧力となる水位よりも低い水位の前記受水槽の渇水水位から求められた第３設定圧力を予め記憶し、
前記制御部は、前記第１圧力センサで検出した圧力が前記第２設定圧力となった場合に、前記モータを駆動可能とし、そして、一定時間前記第１圧力センサで検出した圧力が前記第３設定圧力以下である場合に、前記受水槽が渇水水位であることを判断し、前記モータの駆動を停止する、［２］に記載の給水装置。
［４］  前記記憶部は、前記測点公差、及び、前記第２設定圧力よりも低い水位であって、且つ、前記第３設定圧力よりも高い水位の前記受水槽の減水水位から求められた第４設定圧力を予め記憶し、
前記制御部は、一定時間、前記第１圧力センサで検出した圧力が前記第４設定圧力以下である場合に、前記受水槽が減水水位であることを判断し、前記報知装置により前記減水水位を外部に報知するとともに、一定時間、前記第１圧力センサで検出した圧力が前記第３設定圧力以下である場合に、前記報知装置により前記渇水水位を外部に報知する、［３］に記載の給水装置。
［５］  前記受水槽に接続された、前記受水槽に水を供給する流入管に設けられ、前記流入管を開閉する流入弁を備え、
前記記憶部は、前記測点公差及び前記満水水位よりも低く、且つ、前記第２設定圧力となる水位よりも高い水位から求められた第５設定圧力を予め記憶し、
前記制御部は、前記第１圧力センサで検出した圧力が前記第２設定圧力以下に低下した場合に、前記流入弁を開き、前記第２圧力センサで検出した圧力が前記第５設定圧力よりも高い場合に前記流入弁を閉じる、［３］又は［４］に記載の給水装置。
［６］  前記受水槽と、
前記受水槽及び前記第１圧力センサを接続する配管と、をさらに備える［１］乃至［５］のいずれか一項に記載の給水装置。
［７］  前記受水槽は、２槽設けられ、
前記２槽の受水槽及び前記配管を接続する三方弁をさらに備える、［６］に記載の給水装置。